(57)【要約】【課題】映像表示装置と映像視聴用眼鏡を有する映像システムにおいて、映像表示装置は左右フレームそれぞれに同期した同期信号を送出し、映像視聴用眼鏡はそれに同期して光学フィルタを制御すると構成が複雑となる。【解決手段】映像表示装置は、表示する立体映像の左又は右フレームの一方に同期した同期信号のみを映像視聴用眼鏡へ送信する。映像視聴用眼鏡は受信した同期信号から、好適な内部同期信号を生成し、その内部同期信号に基づいて左右の光学フィルタを制御する。【選択図】図２
2011015119.tif 000002
【特許請求の範囲】
【請求項１】
第１の映像と第２の映像を所定の順序で表示する表示部と、
前記第１の映像と同期した同期信号を生成する同期信号生成部と、
前記同期信号を該装置の外部へ送信する同期信号送信部と、
を備える映像表示装置。
【請求項２】
前記第１の映像は、立体映像の左目映像又は右目映像のいずれかであり、
前記第２の映像は、前記第１の映像に対応する前記立体映像の右目映像又は左目映像のいずれかである、
請求項１に記載の映像表示装置。
【請求項３】
第１の映像と同期した外部同期信号を受信する外部同期信号受信部と、
前記外部同期信号に基づいて、少なくとも第２の映像に同期する内部同期信号を生成する内部同期信号生成部と、
左目及び右目へそれぞれ透過する光を調整する光学フィルタ部と、
前記内部同期信号に基づいて、前記光学フィルタ部を制御する光学フィルタ制御部と、
を備える映像視聴用眼鏡。
【請求項４】
前記第１の映像は、立体映像の左目映像又は右目映像のいずれかであり、
前記第２の映像は、前記第１の映像に対応する前記立体映像の右目映像又は左目映像のいずれかである、
請求項３に記載の映像視聴眼鏡。
【請求項５】
映像表示装置と該映像表示装置が表示した映像の視聴を補助する映像視聴用眼鏡を具備する映像システムであって、
前記映像表示装置は、
第１の映像と第２の映像を所定の順序で表示する表示部と、
前記第１の映像と同期した同期信号を生成する同期信号生成部と、
前記同期信号を前記映像視聴用眼鏡へ外部同期信号としえ送信する同期信号送信部と、
を有し、
前記映像視聴用眼鏡は、
前記映像表示装置から第１の映像と同期した前記外部同期信号を受信する外部同期信号受信部と、
前記外部同期信号に基づいて、少なくとも第２の映像に同期する内部同期信号を生成する内部同期信号生成部と、
左目及び右目へそれぞれ透過する光を調整する光学フィルタ部と、
前記内部同期信号に基づいて、前記光学フィルタ部を制御する光学フィルタ制御部と、
を有する、
映像システム。
【請求項６】
前記第１の映像は、立体映像の左目映像又は右目映像のいずれかであり、
前記第２の映像は、前記第１の映像に対応する前記立体映像の右目映像又は左目映像のいずれかである、
請求項５に記載の映像システム。
【発明の詳細な説明】
【技術分野】
【０００１】
映像表示装置に表示された映像を、映像視聴用眼鏡を通じて視聴する技術に関する。特に、映像視聴用眼鏡が、映像表示装置が表示する映像を選択して視聴する技術に関するものである。
【背景技術】
【０００２】
特許文献１には、立体映像表示装置から液晶シャッタ眼鏡へ送信される左右映像の切り替わりを示す信号が、なんらかの理由により遮断された場合に、立体視不能の状態に陥り、画面がちらついて見える問題等を解決するものである。特許文献１に示された発明では、液晶シャッタ眼鏡は立体映像表示装置から受信した切り替えを示す信号に基づいて、内部で自走用の切り替え信号を生成して液晶シャッタの切り替え制御を行う。その結果、一時的に立体映像表示装置からの信号を受信できなくても、液晶シャッタの切り替えを制御することが可能となり、上記の問題等を解決するものである。また、同時に、立体映像表示装置から送信される左右映像の切り替えを示す信号の早さ（クロック）が複数ある場合に、上記の液晶シャッタ眼鏡であれば、複数のクロックにも対応可能というものである。
【０００３】
特許文献２には、ＰＤＰ（Ｐｌａｓｍａ  Ｄｉｓｐｌａｙ  Ｐａｎｅｌ）と眼鏡を用いて立体視像を視聴する際に、眼鏡のシャッタ切り替えの応答速度が遅いため、サブフィールドの開始とともにシャッタの切り換えを行っていたのでは、ＰＤＰの発光をシャッタで遮ってしまうという課題がある。そのため、眼鏡の左右のシャッタ切り替えを、サブフィールドの無表示期間に行う技術が開示されている。
【先行技術文献】
【特許文献】
【０００４】
【特許文献１】特開平１１−９８５３８号公報
【特許文献２】特開２０００−３６９６９号公報
【発明の概要】
【発明が解決しようとする課題】
【０００５】
しかし、特許文献１に記載のメガネでは左右のシャッタの開閉を切り換えるたびに、映像表示装置から同期信号を受信する必要がある。また、特許文献２の眼鏡も同様である。
【０００６】
そのため、これらの場合、映像表示装置からシャッタ開閉の度に同期信号を送信する必要があるため、映像表示装置と映像視聴用眼鏡間で送受信される同期信号の数が多くなるという課題がある。
【０００７】
送受信される同期信号の数が多くなると、制御が複雑になる、または、他の機器との間で混信する、等の可能性が生じる。
【０００８】
そこで、本出願は、上記の同期の構成を簡素化することを目的とする。
【課題を解決するための手段】
【０００９】
本出願の映像表示装置は、第１の映像と第２の映像を所定の順序で表示する表示部と、前記第１の映像と同期した同期信号を生成する同期信号生成部と、前記同期信号を該装置の外部へ送信する同期信号送信部と、を備えるものである。
【００１０】
本出願の映像視聴用眼鏡は、第１の映像と同期した外部同期信号を受信する外部同期信号受信部と、前記外部同期信号に基づいて、少なくとも第２の映像に同期する内部同期信号を生成する内部同期信号生成部と、左目及び右目へそれぞれ透過する光光を調整する光学フィルタ部と、前記内部同期信号に基づいて、前記光学フィルタ部を制御する光学フィルタ制御部と、を備えるものである。
【００１１】
また、本出願の映像システムは、映像表示装置と該映像表示装置を具備し、前記映像表示装置は、第１の映像と第２の映像を所定の順序で表示する表示部と、前記第１の映像と同期した同期信号を生成する同期信号生成部と、前記同期信号を前記映像視聴用眼鏡へ外部同期信号としえ送信する同期信号送信部と、を有し、前記映像視聴用眼鏡は、前記映像表示装置から第１の映像と同期した前記外部同期信号を受信する外部同期信号受信部と、前記外部同期信号に基づいて、少なくとも第２の映像に同期する内部同期信号を生成する内部同期信号生成部と、左目及び右目へそれぞれ透過する光を調整する光学フィルタ部と、前記内部同期信号に基づいて、前記光学フィルタ部を制御する光学フィルタ制御部と、を有する、ものである。
【００１２】
上記の映像表示装置、映像視聴用眼鏡、映像システムにおいて、前記第１の映像は、立体映像の左目映像又は右目映像のいずれかであり、前記第２の映像は、前記第１の映像に対応する前記立体映像の右目映像又は左目映像のいずれかであってもよい。
【発明の効果】
【００１３】
本出願の発明により、映像表示装置と映像視聴用眼鏡の同期を、従来より簡素な方法で実現することが可能となる。
【図面の簡単な説明】
【００１４】
【図１】映像システムの概略を示す図
【図２】映像システムのハードウェア構成を示す図。
【図３】映像表示装置の機能構成図
【図４】映像視聴用眼鏡の機能構成図
【図５】第１の実施の形態における同期信号と光学フィルタ制御との関係を示す図
【図６】同期信号を解析するためのフローチャート
【図７】同期信号に用いる信号の種別を示す図
【図８】第２の実施の形態における同期信号と光学フィルタ制御との関係を示す図
【図９】第３の実施の形態における同期信号と光学フィルタ制御との関係を示す図
【図１０】同期信号に含める論理的な情報の例を示す図
【図１１】第４の実施の形態における同期信号と光学フィルタ制御との関係を示す図
【図１２】第５の実施の形態における第１フレームと同期信号と光学フィルタ制御との関係を示す図
【図１３】第５の実施の形態における第２フレームと同期信号と光学フィルタ制御との関係を示す図
【発明を実施するための形態】
【００１５】
（第１の実施の形態）
＜１．映像表示システムの構成＞
図１は映像表示装置と、映像表示装置が表示した映像を視聴する際に用いる映像視聴用眼鏡を備えた映像表示システムを示す図である。本実施の形態では、視聴者が、映像表示装置が表示面に表示する映像を、映像視聴用眼鏡を通して見ることで、立体映像を視聴できるケースを例として説明する。
【００１６】
本実施の形態で説明する映像表示システムでは、映像表示装置１００が、その表示面に左目用の映像と右目用の映像を、例えば１２０Ｈｚ等の周期で、交互に表示する。映像視聴用眼鏡１２０は、映像表示装置１００の表示面に出力される映像と同期して、映像視聴用眼鏡１２０の左目に入射する光と右目に入射する光を光学フィルタで制御する。映像表示装置１００が表示する左目用の映像と右目用の映像では、視差の分だけ映像が異なる内容である。視聴者は、左目と右目で視聴する映像から視差を擬似的に知覚し、映像表示装置１００が表示する映像が立体的な映像であると感じる。
【００１７】
より具体的には、映像表示装置１００は、その表示面から立体映像（３Ｄ映像）等の所定の処理を施された映像を出力する。映像表示装置１００の同期信号送信部１１０からは、映像表示装置１００の表示面に出力される映像と同期する信号（同期信号）が送信される。映像視聴用眼鏡１２０は、同期信号送信部１１０からの同期信号を、同期信号受信部１３０で受信する。映像視聴用眼鏡１２０は、この同期信号に基づいて、左右の目へ入射する光に所定の光学処理を施す。この光学処理とは、例えば、同期信号送信部１１０からの同期信号に同期して、左右の光学フィルタを開閉するものである。つまり、映像表示装置１００が、表示面に左目用の映像を表示している際には、映像視聴用眼鏡１２０の右目へ入射する光を遮光（減光）し、左目へ入射する光を透過（増光）させる。映像表示面に右目の映像が表示される際は、光学フィルタは左右で上記の逆の動作を行う。
【００１８】
これにより、映像視聴用眼鏡をつけた視聴者は、視聴する映像が立体的な映像であると感じる
なお、上記の説明では、左目用と右目用それぞれの映像の表示周期を１２０Ｈｚの場合を例として説明したが、表示周期はこれに限定されるものではない。他の周期として、例えば９６Ｈｚ、１００Ｈｚ、１４４Ｈｚなど他の周期をもちいるものであってもよい。これらの周期は、表示する映像の種類等に応じてかえるものであってもよい。
【００１９】
図２に映像表示装置１００と映像視聴用眼鏡１２０のハードウェア構成例を示す。映像表示装置１００は、復号用ＩＣ２００と、映像信号処理ＩＣ２０１と、送信制御ＩＣ２０２と、ＣＰＵ２０３と、メモリ２０４と、クロック２０５と、ディスプレイパネル２０６と、赤外線発光素子２０７と、を備える。
【００２０】
復号用ＩＣ２００は、入力される符号化された映像信号を復号化して映像データを所定の様式で出力するものである。映像の符号化には、ＭＰＥＧ（Ｍｏｔｉｏｎ  Ｐｉｃｔｕｒｅ  Ｅｘｐｅｒｔｓ  Ｇｒｏｕｐ）−２や、ＭＰＥＧ−４、Ｈ２６４等の方式がある。
【００２１】
映像信号処理ＩＣ２０１は、復号ＩＣ２００からの映像データを立体映像として表示するために映像信号の処理をするものである。具体的な処理内容としては、復号ＩＣ２００で復号された映像から左目用の映像と右目用の映像を検出してそれを、時間的に交互に並べ換える、又は復号ＩＣ２００が出力した映像から自動的に左目用と右目用の映像を生成し、それをディスプレイパネルに適合した信号に変換する等、立体映像の表示に関わる信号処理を行う。そして、映像信号処理ＩＣ２０１は、ディスプレイパネル２０６の信号入力方式に適合した出力信号を生成する。
【００２２】
なお、映像信号処理ＩＣ２０１は、上記の処理以外の処理を行うものであっても良い。例えば、ディスプレイパネルの特性に応じて、表示する映像の色彩を調整する、又は、復号ＩＣ２００で生成された映像のフレーム間の映像を補間することにより、映像のフレームレートを上げる等の処理をさらに行うものであっても良い。
【００２３】
送信制御ＩＣ２０２は、映像信号処理ＩＣ２０１が生成した左目用及び右目用の映像と同期する同期信号を生成し、それを後述する赤外線発光素子２０７へ出力する。
【００２４】
ＣＰＵ２０３は映像表示装置１００全体を制御するものである。ＣＰＵ２０３は、復号ＩＣ２００や映像信号処理ＩＣ２０１等の映像表示装置１００を構成する構成部を制御することで全体を制御する。ＣＰＵ２０３は、メモリ２０４に記録されたプログラムや、外部からの入力（図示せず）等に従って上記の処理を行う。
【００２５】
メモリ２０４はＣＰＵ２０３が実行するプログラムやプログラム実行時に発生する一時データを記録する領域として利用される。メモリ２０４は、揮発性のＲＡＭ（Ｒａｎｄｏｍ  Ａｃｃｅｓｓ  Ｍｅｍｏｒｙ）や不揮発性のＲＯＭ（Ｒｅａｄ  Ｏｎｌｙ  Ｍｅｍｏｒｙ）を用いるものであってもよい。
【００２６】
クロック２０５は、ＣＰＵ２０３等や他の構成部品へ各ＩＣ等の動作基準となるクロック信号を生成し、供給する。
【００２７】
ディスプレイパネル２０６は、映像信号処理ＩＣから出力された映像信号を表示面に表示する。ディスプレイパネル２０６には、従来からのＣＲＴ方式や、それ以外にも液晶素子を用いたＬＣＤ、その他ＰＤＰや有機ＥＬを用いたもの等各種の表示方式を利用したものがある。
【００２８】
赤外線発光素子２０７は、送信制御ＩＣからの制御により同期信号を外部へ赤外線を用いて出力するものである。
【００２９】
なお、本実施の形態は、赤外線により映像表示装置１００と映像視聴用眼鏡１２０が同期を取る方法を示すが、これに限定するものではない。有線信号、無線信号、超音波等、他の伝達手段を用いて映像表示装置１００と映像視聴用眼鏡１２０が同期を取るものであってもよい。
【００３０】
映像視聴用眼鏡１２０は、ＣＰＵ２２０と、メモリ２２１と、クロック２２２と、赤外線受光素子２２３と、光学フィルタ２２４と、を備える。
【００３１】
ＣＰＵ２２０は、映像視聴用眼鏡１２０全体を制御するものである。ＣＰＵ２２０は、メモリ２２１等に記録されたプログラムや外部からの入力（図示せず）に従って視聴用眼鏡１２０を制御する。
【００３２】
メモリ２２１は、ＣＰＵ２２０が実行するプログラムのデータの記録や、プログラム実行時の一時データを保持する場所として用いられる。
【００３３】
クロック２２２は、映像視聴用眼鏡１２０を構成する他の構成部品等へ、動作の基準となるクロック信号を供給する。クロック信号は、必要に応じて分周、逓倍したものであってもよい。
【００３４】
赤外線受光素子２２３は、映像表示装置１００が赤外線発光素子２０７から送信した同期信号を受信するための受光部分である。なお、本実施の形態では、赤外線を用いた場合を例として説明しているが、映像表示装置１００からの同期信号が無線で送受信される場合は、赤外線受光素子２２３を、アンテナやチューナといった無線受信に必要な構成要素に置き換えることで、同様の機能を実現することは可能である。
【００３５】
光学フィルタ２２４は、利用者が眼鏡を着用した際に、利用者の左目、及び右目の前方に配され、左目及び右目へ入射する光を調整する。光学フィルタ２２４は、ＣＰＵ２２０の制御により左目と右目の動作を適切に行うことで、眼鏡の着用者に所望の光学的効果を生じさせる。
【００３６】
本実施の形態では、一例として、図２に示すハードウェア構成を用いて説明するが、これに限定するものではない。例えば、復号ＩＣ２００、映像信号処理ＩＣ２０１等の複数のＩＣが一体化されたＩＣで実現されたものであってもよい。また、ＣＰＵ２０３が実行するプログラムの処理をＰＬＤ（Ｐｒｏｇｒａｍｍａｂｌｅ  Ｌｏｇｉｃ  Ｄｅｖｉｃｅ）やＤＳＰ（Ｄｉｇｉｔａｌ  Ｓｉｇｎａｌ  Ｐｒｏｃｅｓｓｏｒ）等を用いて実現するものであってもよい。
【００３７】
また、図２に示した例では映像表示装置１００が赤外線発光素子２０７を備えている場合を例として説明したが、本実施の形態はこれに限定するものではない。例えば、送信制御ＩＣ２０２と赤外線発光素子２０７を、同期信号送出装置とした別の装置として実現するものであってもよい。この場合は、映像表示装置２０１から、入力される情報に基づいて、同期信号送出装置は同期信号を映像視聴用眼鏡１２０へ出力する。
【００３８】
図３に映像表示装置１００の機能構成図を示す。映像表示装置１００は、映像復号部３００と、Ｌ／Ｒ信号分離部３０１と、立体信号処理部３０２と、映像表示部３０３と、同期信号生成部３０４と、送信制御部３０５と、同期信号送信部３０６と、を備える。
【００３９】
映像復号部３００は、入力される符号化された映像信号を復号するものである。図２のハードウェア構成においては、復号ＩＣ２００に該当する。
【００４０】
Ｌ／Ｒ信号分離部３０１は、映像復号部３００が復号した映像信号から左目用と右目用の映像信号を生成若しくは分離する。
【００４１】
立体信号処理部３０２は、表示する映像表示部３０３の特性等に応じて、Ｌ／Ｒ信号分離部３０１で分離された左目用及び右目用の映像信号を調整する。例えば、映像表示部３０３の表示面の大きさに応じて、左目用と右目用の映像の視差を調整する処理等がある。
【００４２】
同期信号生成部３０４は、Ｌ／Ｒ信号分離部３０１が生成した左目用及び右目用の映像と同期した同期信号を生成する。この際、映像表示部３０３の特性等に応じて、生成する同期信号の種類や生成タイミングも調整する。同期信号については、後述する。
【００４３】
Ｌ／Ｒ信号分離部３０１と、立体信号処理部３０２と、同期信号生成部３０４とは、図２のハードウェア構成において、映像信号処理ＩＣ２０１に該当する。
【００４４】
映像表示部３０３は、立体信号処理部３０２によって処理された映像信号を映像として表示する。図２のハードウェア構成において、ディスプレイパネル２０６に該当する。
【００４５】
同期信号送信部３０６は、同期信号生成部３０４で生成された同期信号を、後述する送信制御部３０５からの制御に従って、外部へ送信する。同期信号送信部３０６は、図２のハードウェア構成において、赤外線発光素子２０７に該当する。
【００４６】
送信制御部３０５は、送信する同期信号のデータ量や、必要があれば間歇送信等の送信間隔制御も行う。送信制御部３０５は、図２のハードウェア構成において、送信制御ＩＣ２０２に該当する。
【００４７】
図４に映像視聴用眼鏡１２０の機能構成図を示す。映像視聴用眼鏡１２０は、外部同期信号受信部４００と、同期信号検出部４０１と、同期信号解析部４０２と、同期情報記憶部４０３と、内部同期信号生成部４０４と、光学フィルタ制御部４０５と、光学フィルタ部４０６と、を備える。
【００４８】
外部同期信号受信部４００は、映像表示装置１００から赤外線で送信された同期信号を受信する。受光した赤外線に応じて、電気信号を後述の同期信号検出部４０１へ出力する。図２のハードウェア構成においては、赤外線受光素子２２３に該当する。なお、図２のハードウェア構成においても説明したが、本実施の形態では赤外線を用いた場合を例に挙げて説明するが、同期信号の送受信方法を赤外線に限定するものではない。無線等を送受信手段として用いるものであっても良い。
【００４９】
同期信号検出部４０１は、外部同期信号受信部４００が受信した赤外線から生成した電気信号の同期信号を検出する。具体的には、所定の電気波形等を持つ信号を同期信号として検出する。
【００５０】
同期信号解析部４０２は、同期信号検出部４０１が検出した同期信号に基づいて、後述する光学フィルタ部４０６を動作させるための時間間隔等の情報を解析する。光学フィルタ部４０６を動作させるための時間間隔情報等の情報を解析するとは、例えば、左目用と右目用のフィルタの開閉タイミングの情報等である。この解析については後述する。
【００５１】
同期信号検出部４０１と同期信号解析部４０２は、図２のハードウェア構成において、ＣＰＵ２２０が実行するプログラムの一部に該当する。
【００５２】
同期情報記憶部４０３は、同期信号解析部４０２が同期信号に基づいて解析した、光学フィルタ部の動作内容に関する制御情報を記録・保持する。図２のハードウェア構成において、メモリ２２１に該当する。ＣＰＵ２２０が当該情報をメモリ２２１に記録する。
【００５３】
内部同期信号生成部４０４は、同期情報記憶部４０３に記録された同期情報、又は、同期信号解析部４０２が解析した同期情報（時間間隔情報等）に基づいて、映像視聴用眼鏡１２０内部で同期信号を生成する。内部同期信号生成部４０４は、図２のハードウェア構成において、ＣＰＵ２２０とクロック２２２に該当する。
【００５４】
光学フィルタ制御部４０５は、映像視聴用眼鏡１２０の左目と右目用に設けられている光学フィルタ部４０６の動作制御、例えば光学フィルタを透過する光の量を調整する等の制御、を行う。光学フィルタ制御部４０５は、図２のハードウェア構成において、ＣＰＵ２２０が実行する光学フィルタ制御用のプログラムに該当する。
【００５５】
光学フィルタ部４０６は、映像視聴用眼鏡１２０の左目及び右目それぞれに設けられ、左右の目に入射する透過光を調整する光学的なフィルタである。光学フィルタには、透過する光の量を調整するものや、透過する光の偏向を調整するもの等様々な種類がある。また、光学フィルタには、液晶素子を用い、当該液晶素子を制御することで、透過する光の量を調整するもの等がある。光学フィルタ部４０６は、図２のハードウェア構成において、光学フィルタ２２４に該当する。
【００５６】
本実施の形態では、映像表示装置１００に表示される映像が左目用の映像と右目用の映像が交互に変わる場合を例として説明する。そのため、光学フィルタ部４０６の動作としては、左目用と右目用の光学フィルタが、交互に透過する光の量を減光、増光するシャッタ的な動作をする。なお、本実施の形態ではこのような事例を用いて説明するが、光学フィルタ部４０６の動作をこれに限定するものではない。他の例としては、右目と左目で偏光方向をかえるような光学フィルタであってもよい。つまり、映像表示装置１２０は、映像表示内容と同期して透過する光の量調整できる光学フィルタであれば、どのような種類であってもよい。
【００５７】
本実施の形態では、図３及び図４に示した機能構成を用いて説明するが、本発明はこれに限定するものではない。例えば、同期信号送信部３０６と映像表示部３０３を一つの映像表示装置１００に包含するものとして説明したが、これらを別の装置として実現するものであってもよい。
【００５８】
また、図２、図３及び図４で示したハードウェア構成と機能構成の対応関係は、本実施の形態で説明のために用いる具体例としての対応関係であり、これに限定するものではない。他のハードウェア構成、他の機能構成であってもよい。
【００５９】
＜２．同期信号に基づいた光学フィルタ制御＞
図５は、映像表示装置１００が表示する映像と、映像表示装置１００から映像視聴用眼鏡１２０へ送信される同期信号、及び、それを受信した映像視聴用眼鏡１２０の内部動作の関係を示した図である。
【００６０】
図５（Ａ）は、映像表示装置１００の映像表示部３０３に表示される映像が、時間とともに左目用のフレーム（左目フレーム）と右目用のフレーム（右目フレーム）が交互に表示されることを示す図である。図５（Ｂ）は、映像表示部３０３に表示されるフレームと同期して映像表示装置１００の同期信号送信部３０６から同期信号が送信されることを示す図である。図５（Ｃ）は、映像視聴用眼鏡１２０が、外部から受信した同期信号に基づいて内部生成する同期信号を示す図である。図５（Ｄ）、図５（Ｅ）は、内部同期信号に従って、映像視聴用眼鏡１２０の光学フィルタ部４０６の左右の光学フィルタを動作させることを示す図である。
【００６１】
映像表示装置１００は、映像表示部３０３に表示する映像と同期した同期信号を生成する。図３を用いて説明すると、Ｌ／Ｒ信号分離部３０１は、映像復号部３００が復号した映像信号から左目フレームと右目フレームの映像を分離し、それを映像表示部３０３の表示形式に応じた方式に整形する。例えば、映像表示部３０３が左目フレームと右目フレームを交互に表示する場合には、Ｌ／Ｒ信号分離部３０１は、映像復号部３００が復号した映像信号から対応する左目フレームと右目フレームを交互に表示できるように並び替える。
【００６２】
同期信号生成部３０４は、Ｌ／Ｒ信号分離部３０１が並べた左右のフレーム順序に応じて、同期信号を生成する。図５（Ａ）の例では、左目フレーム５０１が先に表示され、続いて、当該左目フレーム５０１に対応する右目フレーム５０２が表示される。左右のフレームが図５（Ａ）のように出力される場合、同期信号生成部３０４は、図５（Ｂ）に示すような同期信号を生成する。
【００６３】
図５（Ｂ）では、図５（Ａ）に示す左右のフレームの表示順序、表示タイミングに従って、同期信号が生成され、映像表示装置１００から出力される様子が示されている。映像表示装置１００は、左目フレーム５０１の表示開始に対応して、同期信号５０４を出力する。
【００６４】
映像表示装置１００は、左目フレーム５０１の表示が終了すると、それに続く右目フレーム５０２を映像表示部３０３に表示する。そして、右目フレーム５０２の表示が終了すると、それに続く、左目フレーム５０３を表示する。映像表示装置１００は、左目フレーム５０１の場合と同様に、左目フレーム５０３の表示開始に対応して、同期信号５０５を出力する。つまり、映像表示装置１００の同期信号生成部３０４は、図５（Ｂ）に示すように、左右フレームの表示の一方に対応して同期信号を生成し、同期信号送信部３０６は生成された同期信号を出力する。
【００６５】
映像表示装置１００から出力された同期信号５０４及び５０５は、映像視聴用眼鏡１２０の外部同期信号受信部４００により受信される。同期信号検出部４０１は外部同期信号受信部４００による受信された同期信号を検出する。
【００６６】
同期信号解析部４０２は、同期信号検出部４０１により受信検出された同期信号の論理的な意味内容等を解析する。図５（Ｂ）に示される同期信号を受信した場合、同期信号解析部４０２は、同期信号の受信時間等から、映像表示部３０３に表示される左右フレームの表示周期を解析する。
【００６７】
図６は、同期信号解析部４０２が、受信した同期信号から、内部同期信号等を生成する（光学フィルタ部を適切な時間タイミングで制御する）ために必要な周期等の各種の情報を算出、解析する一例を示したフローチャートである。
【００６８】
外部同期信号受信部４００は、同期信号（基準同期信号）を受信する（ステップＳ６０１）。
【００６９】
外部同期信号受信部４００は、同期信号（基準同期信号）の受信とともに、受信した時刻を記録する（ステップＳ６０２）。この記録は、例えばＣＰＵ２２０がクロック２２２を用いて時刻情報等を取得し、同期情報記憶部４０３等に一時的に記録しておいてもよい。
【００７０】
同期信号解析部４０２は、ステップＳ６０１及びステップＳ６０２で受信された同期信号及び、その受信時刻が所定回数分記録されているか否かを判定する（ステップＳ６０３）。なお、所定回数とは、同期信号を少なくとも連続すて２回受信し、その同期信号に対応する受信時刻が必要である。
【００７１】
所定回数の受信等が記録されていない場合、ステップＳ６０１へ戻り再度、同期信号（基準同期信号）を受信する。
【００７２】
反対に、所定回数の受信時刻が既に記録されている場合、同期信号解析部４０２は、これらの受信時刻の差分等から同期信号（基準同期信号）の受信間隔５１０を算出する（ステップＳ６０４）。この受信間隔が映像表示部３０３に表示される左右フレームの表示周期となる。なお、上記の通り周期を算出するには、少なくとも連続する２回分の受信時刻の情報が必要であるが、それ以上の受信時刻情報があってもよい。その場合には、同期信号解析部４０２は、受信時刻の差分の平均値をさらに算出することで、より確からしい周期を算出することが可能となる。
【００７３】
同期信号解析部４０２は、ステップＳ６０３で算出した映像信号周期の１／２を、左目フレーム、及び右目フレームそれぞれの周期５１１として算出する（ステップＳ６０５）。
【００７４】
ステップＳ６０５で示した左右フレームそれぞれの周期に基づいて、映像視聴用眼鏡１２０の光学フィルタ部４０６の左右フィルタの開閉タイミングを算出する。（ステップＳ６０６）。
【００７５】
同期信号解析部４０２は、上記各ステップで算出した周期、及びタイミングの情報を同期情報記憶部４０３に記録する（ステップＳ６０７）。
【００７６】
以上の算出手順により、映像視聴用眼鏡１２０は、映像表示装置１００から左目フレームと同期した同期信号を受信するだけで、光学フィルタ部４０６の左右の光学フィルタを適切に開閉するタイミングを算出することが可能となる。特に、同期信号解析部４０２が上記のように、立体映像の片側の映像と同期した同期信号を受信し、解析等することで、同期信号を受信しない、反対側の映像についても同期の情報を取得することが可能となる。つまり、同期信号解析部４０２は、一方の映像の同期信号から少なくとも他方の映像の同期信号も生成することが可能である。
【００７７】
内部同期信号生成部４０４は、同期情報記憶部４０３に記録された周期、及びタイミング等に基づいて、映像視聴用眼鏡１２０内部で同期信号を生成する。図５（Ｃ）は、内部同期信号生成部４０４が生成した内部同期信号の例である。
【００７８】
光学フィルタ制御部４０５は、内部同期信号生成部４０４が生成した内部同期信号に基づいて、光学フィルタ部４０６の左目用フィルタ、右目用フィルタを制御する。
【００７９】
具体的には、光学フィルタ制御部４０５は、内部同期信号Ａを基準として左目の光学フィルタを制御し、透過する光の量を増大させる。内部同期信号Ａから、図６のステップＳ６０６で算出した左目フレームの時間５１１が経過したタイミング（内部同期信号Ｃ）で左目の光学フィルタを制御し、透過する光の量を減少させる。そして、内部同期信号Ｂにより、右目の光学フィルタを制御して、右目へ透過する光の量を増大させる。左目と同様に、内部同期信号Ｂから、Ｓ６０６で算出した右目フレームの時間５１１が経過した後に、右目の光学フィルタを制御し、透過する光の量を減少させる。
【００８０】
これにより、映像視聴用眼鏡１２０は、映像表示装置１００から送信された一つの同期信号に基づいて、左右の光学フィルタを制御し、透過する光の量を増大、減少等の制御を映像表示部３０３の表示と同期して行うことが可能となる。
【００８１】
以上の結果、本実施の形態の映像表示装置１００、及び、映像視聴用眼鏡１２０は、映像と光学シャッタの同期を、１種類の同期新信号のみを、より低頻度の送受信で、実現することが可能となる。つまり、従来と比較して扱う同期信号の種類が少なくなったことにより、同期信号の検出、解析等を比較的簡単に行うことが可能となり、また同期信号の送受信が低頻度となったことで他の機器との混信の可能性を減らすことも可能となる。
【００８２】
なお、上記の例では、ステップＳ６０４で映像信号の周期５１０を算出していたが、映像周期が予め固定で定まっている場合は、これらの処理を省略して、映像視聴用眼鏡１２０は、固定の周期を用いて、タイミング等を算出するものであってもよい。
【００８３】
また、ステップＳ６０３で、より周期の精度を高めるために複数回の同期信号の受信を用いる例も示したが、本実施の形態はこれらに限定するものではない。映像信号の周期が予め定められた複数の周期から選択する場合、例えば、９６Ｈｚ、１００Ｈｚ、１２０Ｈｚ、１４４Ｈｚの４種類の周期から選択する場合、受信した２つの基準同期信号から算出した受信時刻の差分と、上記の選択可能な４種類の周期と、を比較してもっとも確からしい周期を選択するものであってもよい。
【００８４】
＜３．同期信号の種類について＞
図７は映像表示装置１００の同期信号送信部３０６から出力される同期信号の幾つかの例を示したものである。
【００８５】
図７（Ａ）は、複数の同期信号が、パルスの数によって識別される場合の図である。例えば、パルスが一つの同期信号を第１の同期信号、パルスが２つの同期信号を第２の同期信号といったように、パルスの数だけ種類の異なる同期信号を用いることが可能となる。映像視聴用眼鏡の同期信号解析部４０２は、連続して受信するパルスの数をカウントすることで複数種類の同期信号を識別することが可能である。
【００８６】
図７（Ｂ）は、複数の同期信号が、パルスの時間幅、つまり赤外線を用いた場合の例では赤外線が点等状態の持続時間の長さ、によって識別される例を示したものである。この場合も、パルスの時間幅が最も短いものを第１の同期信号、その次に長いものを第２の同期信号といったように用いることが可能である。同期信号解析部４０２は、受信した同期信号が継続して有効となっている時間を測定することで、複数種類の同期信号を識別することが可能である。
【００８７】
図７（Ｃ）は、複数の同期信号が、連続する２つのパルスの間の時間間隔で識別される例を示したものである。２つのパルスの時間間隔７０１が最も短いものが、第１の同期信号、その次に長い時間間隔７０２をもつものが第２の同期信号といったように解釈する。同期信号解析部４０２は、この時間間隔を測定することで、複数の同期信号を識別することが可能である。
【００８８】
図７（Ｄ）は、複数の同期信号が、複数のパルスの組み合わせで識別される例を示したものである。図７（Ｄ）の例では、５つのパルスの存在の有無の組み合わせにより、複数の同期信号が識別される。第１の同期信号は、５つのパルスの先頭のパルスが有効で、残りの４つのパルスが無効となる場合。第２の同期信号は、先頭の２つのパルスが有効で残りの３つのパルスが有効となる場合。第３の同期信号は先頭と３番目のパルスが有効で、２つ目、４つ目、５つ目のパルスが無効となる場合である。同期信号解析部４０２は、５つのパルスの有無の組み合わせで、複数の同期信号を識別することが可能である。
【００８９】
本実施の形態では、同期信号の例として図７に４つの例を示したが、これに限定するものではない。上記４つ以外にも、上記の４つを任意に組み合わせて構成する同期信号であってもよい。例えば、パルスの数（図７（Ａ））とパルスの長さ（図７（Ｂ））をくみあわせて複数の同期信号を構成、及び、識別するものであってもよい。つまり、本実施の形態の同期信号は、複数の同期信号を識別できる信号体系で構成されていれば、いずれの方法であってもよい。
【００９０】
＜４．本実施の形態のまとめ＞
以上より、本実施の形態では、映像表示部３０３に表示される左右フレームのいずれか一方に同期した、同期信号を映像表示装置１００から映像視聴用眼鏡へ送信することで、映像視聴用眼鏡１２０は、受信した同期信号に基づいて、左右の光学フィルタを制御することが可能となる。これにより、映像表示装置１００と映像視聴用眼鏡１２０とは、従来と比較してより簡素な方法で同期を取ることが可能となる。
【００９１】
なお、本実施の形態では、映像視聴装置１００から映像視聴用眼鏡１２０への同期信号は、左目用光学フィルタを開ける（透過する光量を増大させる）場合を例として説明したが、これに限定するものではない。他の例として、（１）左目光学フィルタを閉める（透過する光量を減少させる）に同期信号を用いる場合、（２）右目光学フィルタを開ける場合に同期信号を用いる場合、（３）右目光学フィルタを閉める場合に同期信号を用いる場合のいずれの場合であってもよい。
【００９２】
（第２の実施の形態）
本実施の形態では、映像視聴用眼鏡１２０の光学フィルタをより高精度に制御する場合の例を示す。図８は、本実施の形態における映像信号と同期信号の関係を示したものである。
【００９３】
第１の実施の形態では、左目の映像の表示開始及び終了とほぼ同期して、映像視聴用眼鏡１２０は内部同期信号を生成し、左目用光学フィルタを制御していた。しかし、より高精度に光学フィルタを制御する場合、例えば、映像表示部３０３の発光素子が十分に発行した後に光学フィルタを透過する光量を増大させ、ディスプレイパネルの発光量が所定の値以下になる前等に光学フィルタを透過する光量を減少させるといったような場合には、本実施の形態に示すような方法を用いることが可能である。本実施の形態では、映像表示装置１００から映像視聴用眼鏡１２０へ送信する同期信号は２種類の異なる信号を用いる。
【００９４】
図８（Ａ）は、図５（Ａ）と同様に、映像表示部３０３に表示されるフレームの順序を示したものである。
図８（Ｂ）は、本実施の形態における映像表示装置１００から出力される同期信号の例を示したものである。図８（Ｂ）では、図５（Ｂ）の場合と比較して、映像表示部３０３に映像が表示されて、しばらくしてから、光学フィルタを透過する光量を増大させるための第１の同期信号８０１を出力し、映像の表示終了よりも少し前に光学フィルタを透過する光量を減少させる第２の同期信号８０２を出力する。
【００９５】
この場合、同期信号解析部４０２は、受信した第１の同期信号８０１及び８０３の時間間隔から左右映像の周期８０４を算出する。また、受信した第１の同期信号８０１と第２の同期信号８０２の時間間隔から左右それぞれの光学フィルタを開けている（光学フィルタを制御して透過する光の量を増大させている）期間８０５を算出する。また、図６の場合と同様に、左目フレームと右目フレームの表示周期８０６（左右映像の周期８０４の半分）を算出する。
【００９６】
内部同期信号生成部４０４は、これらの情報により、以下の内部同期信号を生成し、光学フィルタ制御部４０５は、内部同期信号に基づいて光学フィルタの制御を行う。つまり、第１の同期信号８０１を受信した時点で、内部同期信号Ａを生成し、これに同期して左目光学フィルタを制御し、透過する光量を増大させる。続いて、第２の同期信号８０２を受信した時点のタイミングで、内部同期信号生成部４０４は内部同期信号Ｃを生成する。この内部同期信号Ｃに基づいて、光学フィルタ制御部４０５は、左目用フィルタを制御し、透過する光量を減少させる。第１の同期信号受信８０１から左目フレームの表示周期８０６が経過した時点で、内部同期信号生成部４０４は内部同期信号Ｂを生成する。内部同期信号Ｂにより、光学フィルタ制御部４０５は右目用フィルタを制御し、透過する光量を増大させる。内部同期信号Ｂから右目フレームの表示周期８０５を経過した時点で、内部同期信号生成部４０４は内部同期信号Ｃを生成する。光学フィルタ制御部４０５は、内部同期信号Ｃにより右目用フィルタを制御し、透過する光量を減少させる。
【００９７】
以上の制御をおこなうことで、光学フィルタをより高度に制御することが可能となる。従来の方法で同様の制御を行うとすると、左目、右目用光学フィルタの開閉を示す同期信号が両目分必要となるため、同期信号の種類が多く、同期信号を送受信する頻度が高頻度になっていた。本実施の形態の方法であれば、従来と比較して少ない種類の同期信号で、送信頻度を下げて同様の制御を行うことが可能となる。
【００９８】
つまり、本実施の形態に示す方法でも、従来と比較して簡素な方法で映像表示装置１００と映像視聴用眼鏡１２０の同期を実現するとともに、光学フィルタの制御をより高精度におこなうことが可能となる。
【００９９】
なお、本実施の形態では、映像表示装置１００から、第１の同期信号と第２の同期信号が送信される例を示した。映像視聴用眼鏡１２０では、この第１の同期信号で左目の光学フィルタを開け（透過する光量を増大させる）、第２の同期信号で左目の光学フィルタを閉める(透過する光量を減少させる)。しかし、本実施の形態では、この組み合わせに限定するものではない。つまり、映像表示装置１００から送信される２つの同期信号のうち、（１）一つの同期信号で左目の光学フィルタをあけ、他方の同期信号で右目の光学フィルタを開ける場合、（２）一つ目の同期信号で左目の光学フィルタを開け、他方の同期信号で右目の光学フィルタを閉める場合、（３）一つ目の同期信号で右目の光学フィルタを開け、他方の同期信号で右目の光学フィルタを閉める場合、のいずれの場合であってもよい。
【０１００】
いずれの場合にも、左目の光学フィルタを開ける、閉める、右目の光学フィルタを開ける、閉める、といったそれぞれの場合の同期信号を送信する場合よりも、半分の同期信号を用いるだけで、映像表示装置と映像視聴用眼鏡で同期を取ることが可能である。
【０１０１】
（第３の実施の形態）
本実施の形態は、第２の実施の形態の場合と同様により高精度な光学フィルタの制御を行う場合であっても、送信する同期信号の頻度をさらに下げる方法を示すものである。
【０１０２】
本実施の形態では、映像表示装置１００から映像視聴用眼鏡１２０への同期信号は、左目の光学フィルタを開けるタイミングで出力される。ただし、この同期信号は、第１、及び第２の実施の形態と異なり、同期信号に論理的な意味が別途含まれている。
【０１０３】
具体的には、本実施の形態の同期信号は、図７（Ｄ）に示すような、同期信号を用いて複数の同期の種類を使い分ける。同期信号に図７（Ｄ）に示すような同期信号を用いた場合の、それぞれの同期信号の一例を図１０に示す。図１０では、第１の同期信号を受信した場合、左右シャッタを開けている（透過する光量を増大させている）期間は、予め定められている所定の時間（標準時間）であることを示す。第２の同期信号を受信した場合は、標準時間よりも１０ｕｓだけ左右シャッタを長くあけることを示す。
【０１０４】
つまり、第２の実施の形態で第１の同期信号８０１受信から第２の同期信号８０２受信までの時間間隔８０５を論理的な情報として、受信する同期信号に含めたものが本実施の形態での例である。
【０１０５】
左右フィルタを空けている時間８０５の取得方法が、第２の実施の形態とは異なるものの、それ以外の制御については同様であるため、その他の部分の説明については省略する。
【０１０６】
この方法の場合では、利用する同期信号の種類は、シャッタを開けている時間調整の分だけ必要となるものの、同期信号を送受信する頻度は第２の実施の場合と比較して下げることが可能である。そのため、同期信号の混信等をより防ぐことが可能である。
【０１０７】
本実施の形態の場合でも、従来と比較してより簡素な方法で、より高精度な光学シャッタの制御が可能となる。
【０１０８】
同期信号に含める論理的な意味を、シャッタを空き時間の延長分の情報として利用する場合を説明したが、本実施の形態はこれに限定するものではない。その他の情報、例えば、映像表示装置１００の表示する映像が、立体映像の左右フレームではなく、２種類の異なる映像が交互に表示される場合、映像表示部３０３には、フレームの切り換え毎に、第１の映像のフレームと第２の映像のフレームが交互に表示される場合がある。このような、立体映像が表示される場合、又は、複数の（２次元の）映像が表示される場合では、光学フィルタの制御が異なる（後述）ため、映像視聴用眼鏡１２０は区別する必要がある。その識別情報を同期信号に含めたものであっても良い。
【０１０９】
つまり、映像表示装置１００から送信される同期信号は、同期信号の受信に基づくことにより、映像表示装置１００と映像視聴用眼鏡間で同期をとるだけでなく、同期信号に含まれる論理的な情報に基づいて、映像視聴用眼鏡１２０の動作を制御するものであってもよい。
【０１１０】
なお、本実施の形態では、左目光学フィルタを開ける（透過する光量を増大させる）場合に、映像表示装置１００から映像視聴用眼鏡１２０へ同期信号が送信される場合を例として説明したが、本実施の形態はこれに限定するものではない。他の例として（１）左目の光学フィルタを閉める（透過する光量を減少させる）場合や、（２）右目光学フィルタを開ける場合、（３）右目光学フィルタを閉める場合、のいずれかに同期信号を送信するものであっても良い。
【０１１１】
（第４の実施の形態）
第１から第３の実施の形態は、基本原則として左右のフレームが時間的に対称に動作する場合に有効である。本実施の形態では、左右のフレームが時間的に非対称に動作するような場合にも適用できる例を説明する。
【０１１２】
図１１は、第１回目の左フレーム１１０１、第１回目の右フレーム１１０２については、第３の実施の形態と同様である。第２回目の左フレーム１１０３、第２回目の右フレーム１１０４では、これら左右フレームの映像の差により、光学フィルタ部４０６の光学フィルタの制御を異なる制御とすることが求められるような場合である。
【０１１３】
この場合、左フレーム１１０３、及び右フレーム１１０４それぞれに別々の光学フィルタ制御が要求されるため、左目フィルタを開ける為の同期信号１１０６、左目フィルタを閉めるための同期信号１１０７、右目フィルタを開ける為の同期信号１１０８、右目フィルタを閉めるための同期信号１１０９を用いる。
【０１１４】
内部同期信号生成部４０４は、左目フレーム１１０３、右目フレーム１１０４の部分だけ、それぞれの同期信号１１０６、１１０７、１１０８、１１０９を受信したタイミングで内部同期信号Ａ、Ｃ、Ｂ、Ｃを生成する。光学フィルタ制御部４０５は、この内部同期信号に基づいて光学フィルタ部４０６を制御する。
【０１１５】
これにより、表示される映像が左右フレームのフィルタ制御が、左右で対称の場合は、上記に第１〜第３の実施の形態で説明した方法で同期信号を送受信し、映像の一部で左右の制御を非対称にする必要がある場合は、それぞれ独立に制御をおこなうことで、より高精度な光学フィルタの制御を簡素な同期信号の両方を実現することが可能となる。つまり、これら左右対称な場合の制御方法と非対称な場合の制御を組み合わせることで、より簡素な方法で同期制御を実現することが可能となる。
【０１１６】
（第５の実施の形態）
本実施の形態では、上記の実施の形態で示した左右フレームが交互に表示される場合とは異なり、独立した立体映像でない通常の第１の映像と第２の映像が交互に映像表示部３０３に表示され、映像視聴用眼鏡１２０は、そのいずれか一方の映像を選択する場合について説明する。
【０１１７】
図１２（Ａ）は、第１の映像と第２の映像にそれぞれ対応する第１フレームと第２フレームがフレーム毎に交互に表示されることを示す。
【０１１８】
映像表示装置１００からは、第１フレームに対応して同期信号１２０１、１２０２が送信される。同期信号解析部４０２は、上記の実施の形態と同様に、これらの同期信号に基づいて第１フレームと第２フレームの表示周期１２０３を算出する。そして、表示周期１２０３に基づいて、第１フレーム及び第２フレームそれぞれの周期（表示周期１２０３の１／２）を算出する。同期信号解析部４０２は、これらの算出結果を同期情報記憶部４０３に記録する。
【０１１９】
内部同期信号生成部４０４は、同期情報記憶部４０３に記憶、保持されている情報にもとづいて光学フィルタ部４０６を制御するための内部同期信号を生成する。内部同期信号生成部４０４が生成した同期信号の例を、図１２（Ｃ）に示す。
【０１２０】
図１２（Ｃ）は、映像視聴用眼鏡１２０の利用者等が第１の映像（第１フレーム）を視聴することを選択した場合の内部同期信号の生成例である。利用者は、映像視聴用眼鏡１２０に付属の選択スイッチ（図示せず）等により、独立した複数の映像から所望の映像を選択する。
【０１２１】
内部同期信号生成部４０４は、この選択内容と、同期情報記憶部４０３に保持されている同期情報に基づいて、選択した映像に適した内部同期信号を生成する。図１２の例は、第１の映像を選択した場合であり、図１３は、第２の映像を選択した場合の例である。
【０１２２】
内部同期信号生成部４０４が生成した同期信号に基づいて、光学フィルタ制御部４０５は、左右の光学フィルタの制御を行う。本実施の形態の場合は、選択した映像のみを視聴するものであるので、左右フィルタの制御は上記の実施の形態とは異なり、同時に透過する光量を増大させ、同時に透過する光量を減少させる、制御となる（図１２（Ｄ）、図１２（Ｅ）、図１３（Ｄ）、図１３（Ｅ））。
【０１２３】
なお、本実施の形態では、２つの独立した映像を視聴する場合を例として説明したが、本実施の形態はこれに限定するものではない。３つ以上の独立した映像を、第１のフレーム、第２のフレーム、第３のフレームの順で映像表示装置１００が表示し、映像視聴用眼鏡１２０が選択した映像の部分でのにみ左右フィルタを透過する光量を増大させるものであってもよい。この場合には、３つの独立した映像から選択した映像のみの視聴が可能となる。つまり、映像表示装置１００が表示する映像の数を制限するものではなく、映像表示装置１００と映像視聴用眼鏡１２０が同期をとって、選択した映像のみを視聴可能とするものであればいずれのものでもよい。
【０１２４】
以上より、本実施の形態に示したように、立体映像でなく、複数の映像を選択視聴する場合でも、映像表示装置１００から映像視聴用眼鏡１２０へ送信する同期信号の送信頻度をより下げることが可能となる。
【０１２５】
そのため、従来と比較してより簡素な方法で映像表示装置１００と映像視聴用眼鏡１２０の同期制御を実現することが可能となる。
【０１２６】
なお、本実施の形態では、第１フレームの開始で映像表示装置１００から映像視聴用眼鏡１２０へ同期信号を送信する場合を例に示したが、これに限定するものではない。例えば、（１）第１フレームの終了で同期信号を送信する場合、（２）第２フレームの開始で同期信号を送信する場合、（３）第２フレームの終了で同期信号をする場合、のいずれのタイミングで同期信号を送信するものであってもよい。
【０１２７】
なお、本実施の形態で説明した、複数の映像から選択した映像を視聴する場合と、立体映像を視聴する場合と、を映像視聴用眼鏡１２０が識別するため、第３の実施の形態で説明したように、同期信号に識別情報を含めることで実現可能である。
【０１２８】
以上、第１〜第５の実施の形態で説明したように、映像表示装置１００から映像視聴用眼鏡１２０へ送信する同期信号の種類を減少させる、又は、送信頻度を少なくすることが可能となる。これにより、扱うし同期信号の種類が減少することで、映像表示装置１００と映像視聴用眼鏡１２０の制御が比較的簡素となる。また、送受信の頻度が少なくなることで、他の機器との混信する確立をより少なくすることが可能となる。
【０１２９】
また、さらに映像視聴用眼鏡１２０は、同期信号を受信しない期間、例えば第１の実施の形態では、右目フレームが表示されている期間５０２では、映像表示装置１００から同期信号が送信されてこないため、映像視聴用眼鏡１２０のＣＰＵ２２０は、赤外線受光素子２２３への電源供給を少なくする、または、電源供給を停止する等の処理をおこなうことで、映像視聴用眼鏡１２０の消費電力を下げることも可能である。これは、第１から第５の実施の形態のいずれにも利用できるものである。
【０１３０】
なお、第１から第５の実施の形態では、映像表示装置と映像視聴用眼鏡を用いて説明してきたが、上記の実施の形態はこれに限定するものではない。上記の実施の形態で説明下内容を、ＣＰＵを用いたプログラムとして実現することも可能である。この場合は、図２等でしめした復号ＩＣ２００，映像信号処理ＩＣ２０１，送信制御ＩＣ２０２、ＣＰＵ２０３、や、ＣＰＵ２２０等で処理する内容をＣＰＵ上で動作するプログラムとして実現することも可能である。
【０１３１】
また、第１から第５の実施の形態に示した内容を映像表示装置、及び、映像視聴用眼鏡の制御方法として実現することも可能である。この場合は、映像表示装置、映像視聴用眼鏡のハードウェア構成に関わらず、上記説明の内容を実現できるものであれば、いずれの装置であってもよい。つまり、それらの装置で、上記の実施の形態で示した制御方法を実現できるものであればいずれの装置であってもよい。
【産業上の利用可能性】
【０１３２】
本出願に記載の発明は、映像を表示するテレビ等と、テレビに表示された映像を視聴するために用いられる視聴用眼鏡等などに利用することが可能である。
【符号の説明】
【０１３３】
１００    映像表示装置
１１０    同期信号送信部
１２０    映像視聴用眼鏡
１３０    同期信号受信部
２００    復号ＩＣ
２０１    映像信号処理ＩＣ
２０２    送信制御ＩＣ
２０３、２２０    ＣＰＵ
２０４、２２１    メモリ
２０５、２２２    クロック
２０６    ディスプレイパネル
２０７    赤外線発光素子
２２３    赤外線受光素子
２２４    光学フィルタ
３００    映像復号部
３０１    Ｌ／Ｒ信号分離部
３０２    立体信号処理部
３０３    映像表示部
３０４    同期信号生成部
３０５    送信制御部
３０６    同期信号送信部
４００    外部同期信号受信部
４０１    同期信号検出部
４０２    同期信号解析部
４０３    同期情報記憶部
４０４    内部同期信号生成部
４０５    光学フィルタ制御部
４０６    光学フィルタ部
【図１】
2011015119.tif 000003
【図２】
2011015119.tif 000004
【図３】
2011015119.tif 000005
【図４】
2011015119.tif 000006
【図５】
2011015119.tif 000007
【図６】
2011015119.tif 000008
【図７】
2011015119.tif 000009
【図８】
2011015119.tif 000010
【図９】
2011015119.tif 000011
【図１０】
2011015119.tif 000012
【図１１】
2011015119.tif 000013
【図１２】
2011015119.tif 000014
【図１３】
2011015119.tif 000015